(57)【要約】      （修正有）【課題】帯の種類や夏冬の季節の違い、更に体型の違いに応じて使うことのできる多用途型帯板を提供する。【解決手段】伸縮性ベルトを着脱式とし、帯板本体に多孔性の樹脂性板を２枚重ね合わせ、その側面と底面を張り合わせることでポケットを形成し、ポケットには用途目的に合わせた中帯板を入れることで、多様な用途に対応可能とする。また伊達締めも利用にできるように、帯板内側に２箇所の帯板通口を設けたことを特徴とするものである。【選択図】図２
0003144976.tif 000002
【実用新案登録請求の範囲】
【請求項１】
多孔性の素材を、角を丸めた長方形に裁断したものを２枚作成し、その内の１枚を他方より数ミリメートル長さを短くし、これら２枚の板を、短い板を内側として天面を除いて端部を合わせて貼り合わせることで本体を形成し、本体の左右両端部には、伸縮性ベルトの連結具を着脱するための筒状の輪が取り付けられたことを特徴とする多用途型帯板。
【請求項２】
帯板本体内側の板に、左右の端より内側に、伊達締めを通すための通し口を左右各１箇所に設けられたことを特徴とする請求項１記載の多用途型帯板。
【請求項３】
帯板本体内側の上部に、長さが略５ｃｍの帯状の布又は紐を、両端部と中央部３点で固定されたことを特徴とする請求項１から２いずれか１項に記載の多用途型帯板。
【考案の詳細な説明】
【技術分野】
【０００１】
本考案は和服に用いる帯板の構造に関する。
【背景技術】
【０００２】
着物の着付けの概略説明をすると、先ず肌着、腰巻を地肌にまとい、次に長襦袢を着て、その上に着物を着て最後に帯を巻くことで着付けが完了する。
帯を巻くときには、帯の形を整えるために帯板を使用するが、従来の帯板は帯板本体の両脇に伸縮性ベルトが縫い付け等により固定されたものと、帯板だけのものの２種類が主流となっている。帯には袋帯と呼ばれる帯を２重に折り合わせたものと、名古屋帯と呼ばれる帯を２重に折り合わせて縫い合わせたものの２種類があり、袋帯には帯板だけのものを帯の折り合わせ間に入れて使用し、名古屋帯の場合は帯の折合わせ部が縫い付けてあるため、帯の折り合わせ間に入れられないため、伸縮性ベルト付の帯板を身体に付けてから、帯を巻くことになる。
【０００３】
この帯板も夏用と冬用があり、更に被着者の体形により長さが数種類あることで、少なくとも４種類以上の帯板を用意し、被着時に帯板を選択して使用しているのが実情である。
これらの手間を解消するため、伊達締めに帯板やタオルを入れるポケットを設けたものが出願されているが、これは名古屋帯の場合にのみ使用できるものである。
【特許文献１】実登３０１７６６３号
【考案の開示】
【考案が解決しようとする課題】
【０００４】
帯の種類や夏冬の季節の違い、更に体型の違いによりそれぞれの帯板を使い分けながら使用する被着者にとっては、あらかじめそれら帯板を準備し、また保管しておくことを含めて大きな負担となっている。
【課題を解決するための手段】
【０００５】
本考案は前述の課題を解決するために考案されたもので、帯板を一元化し多用途の使用に対応できる構造を提案するものである。
本考案は袋帯用と名古屋帯用の帯板の違いは伸縮性ベルトの有無であることに着目し、伸縮性ベルトを着脱式とし、帯板本体に多孔性の樹脂性板を２枚重ね合わせ、その側面と底面を張り合わせることでポケットを形成し、内側の板の長さを外側より短くすることで、張り合わせた後に撓みをもたせたことを特徴とする。
【０００６】
帯板のポケットには、用途目的に合わせた中帯板を入れることで、多様な用途に対応可能とする。また伊達締めも利用にできるように、帯板内側に２箇所の帯板通口を設けたことを第２の特徴とするものである。
【考案の効果】
【０００７】
この多用途型帯板と、用途に応じた中帯板を数種類用意することで、帯の種類や用途、体型に係わらず、帯締めを容易に行なうことが可能となり、被着者の手間や負担を解消することができる。
【０００８】
帯板本体に多孔性の素材を使用することで、通気性が良くなり蒸れ等を抑制することができ、夏用は中帯板も多孔性の素材とすることで、更に通気性が改善される。冬用は多孔性以外の素材を使用することで、保温性を持たせることができる。
【０００９】
帯板本体に取り付けられた根付ホルダーにより、根付と呼ばれる装飾品の取り付けが容易でありながら外れにくく、取り付け位置を保持できるため、お気に入りの装飾品を、装着状態を気にせず下げることができる
【考案を実施するための最良の形態】
【００１０】
本考案の構成について、実施例を基に図面を引用して説明する。
【実施例１】
【００１１】
図１は本考案の正面図、図２は本考案の背面図、図３は本考案の平面図である。
多孔性の素材を、角を丸めた長方形に裁断したものを２枚作成し、その内の１枚を他方より数ミリメートル長さを短くする。短い方の板には左右の端より内側に、伊達締めを通すための通し口を左右各１箇所に設ける。これら２枚の板を、短い板を内側として天面を除いて端部を合わせて貼り合わせる。これにより帯板本体が内側に撓むこととなり、被着時に身体に適合する。本体を構成する多孔性素材は、網目上の樹脂板が望ましいが、これに限定するものではない。貼り合わせの方法は糸等で縫い合わせることが望ましいが、熱溶着、熱圧着、接着剤等でもよい。
【００１２】
貼り合わせが完了した帯板本体の左右両端部には、伸縮性ベルトの連結具を着脱するための筒状の輪を取り付ける。筒状の輪は、布又は帯状の伸縮性ベルト等で、連結具が入る程度の径と連結具の巾程度の長さの筒状の輪を形成して、糸等で縫い合わせることが望ましいが、これに限定するものではない。
【００１３】
次に帯板本体内側の上部に根付ホルダーを取り付けることで、本体が完成する。根付ホルダーは長さが５ｃｍ程度、巾７ｍｍ程度の帯状の布又は紐等を、両端部と中央部３点を糸等で縫いつけることで取り付ける。
【００１４】
伸縮性ベルトは、ベルトの一方を、連結具を通してループ状に配し、ベルトの先端が長さ調節用留め具に固定される。もう一方のベルトの先端には、連結具を取り付ける。連結具により帯板本体との着脱を行い、長さ調整用留め具により体型に合わせてベルトの長さを調整する。図４は伸縮性ベルトの一例を示す正面図である。
【００１５】
図５は中帯板の一例の正面図である。本体と同様に多孔性の樹脂性板で、本体より小さく裁断し、端部を囲うように端面処理をする。体型に合わせ数種類の長さの中帯板を作成してもよく、冬用として多孔性ではない板を利用してもよい。
【実施例２】
【００１６】
本考案の使用例について説明する。
【００１７】
袋帯の場合は、伸縮性ベルトを外した帯板本体のみを使用し、夏用又は冬用及び体型に合わせた長さの中帯板を選択して本体に差込み、帯を巻き終える最後に、帯の中へ帯板本体を装着する。
【００１８】
名古屋帯の場合は、伸縮性ベルトを帯板本体に取付け、夏用又は冬用及び体型に合わせた長さの中帯板を選択して本体に差込み、帯締め前に伸縮性ベルトにて身体に装着する。この場合、出願人が登録した和装サスペンダー（実用新案登録第３００００００号）を使用することで、着付けも整い、伊達締めを使用しなくてもよい。
【００１９】
伊達締めを使用する場合は、伸縮性ベルトを外した帯板本体内側の伊達締め通し口から、伊達締めを通し、夏用又は冬用及び体型に合わせた長さの中帯板を本体に差込み、帯締め前に伊達締めにて身体に装着する。
【００２０】
根付ホルダーは、根付と呼ばれる装飾品を下げるためのホルダーで、この形状は取り付けが容易であると同時に、外れにくく取り付け位置を保持できる構造となっている。お気に入りの装飾品を、装着状態を気にせず下げることができるものである。
【産業上の利用可能性】
【００２１】
この多用途型帯板は工業生産が可能であり、あらたな着付け用帯板として、供給者において生産、販売が可能である。また、着付け教室などで、着付け教材として利用することも可能である。
【図面の簡単な説明】
【００２２】
【図１】本考案の正面図
【図２】本考案の背面図
【図３】本考案の平面図
【図４】伸縮性ベルトの一例の正面図
【図５】中帯板の一例の正面図
【符号の説明】
【００２３】
１  帯板本体              ６  伸縮性ベルト        １１  Ｍサイズ用
２  筒状の輪              ７  連結具              １２  Ｓサイズ用
３  中帯板挿入口          ８  長さ調整用留め具    １３  根付ホルダー
４  貼り合せ部            ９  端面処理部
５  伊達締め通し口      １０  Ｌサイズ用
【図１】
0003144976.tif 000003
【図２】
0003144976.tif 000004
【図３】
0003144976.tif 000005
【図４】
0003144976.tif 000006
【図５】
0003144976.tif 000007